(57)【特許請求の範囲】
【請求項１】
ボルトに螺合するナット本体と、前記ナット本体の外周面に巻設される操作体とを有するナットであって、
前記ナット本体は、前記操作体が巻設される操作体巻設代と、この操作体巻設代に続いて軸方向に形成され、前記操作体を前記操作体巻設代に巻設した状態で締め付け工具を嵌合可能な工具装着代とを備え、
前記操作体は、帯紐状に形成され、且つ、粘着性を有し、
前記操作体巻設代は、軸方向の一端から他端に向かって拡径するように形成されたテーパー状に形成され、前記操作体は、前記操作体巻設代の他端から縮径方向に巻かれることを特徴とするナット。
【請求項２】
前記操作体は巻始端部と巻終端部との間に形成される中間部の幅が、前記巻始端部及び前記巻終端部よりも狭く形成されていることを特徴とする請求項１に記載のナット。
【請求項３】
請求項１に記載のナットの前記操作体巻設代に前記操作体を巻設する方法であって、前記操作体巻設代の外周面の軸方向の他端側に前記操作体の巻始端部を固定し、前記ナットの軸方向に対して鋭角の角度をもって螺旋状に巻設することを特徴とする操作体巻設方法。
【請求項４】
前記鋭角の角度は４５°であることを特徴とする請求項３に記載の操作体をナットに巻く方法。
【発明の詳細な説明】
【技術分野】
【０００１】
本発明は、ボルトに螺合するナット本体を回転させるための操作体を具備したナットと、このナットに用いられる操作体をナット本体に巻設する方法に関する。
【背景技術】
【０００２】
締め代が多いボルトにナットをレンチなどの工具で締める場合、ナットを何度も回転させなければならないため作業効率が悪い。また、このような締め込み作業は、高電圧等のために直接手で触れることができない場所においては間接活線工具にラチェットレンチを装着して行うようにしているため、作業効率は一層悪くなっている。
【０００３】
そこで、締め込み作業の効率化を図るために、従来においては、ボルトの締め込み部位に外周側から装着されてボルトに締め込み力を与える装着体と、この装着体に締め込みのための回転力を与える線状体とを備えた締め込み工具を用い、ボルトの回転方向に巻き付けられた紐を引っ張ることでボルトに回転力を与えるようにする構成が考えられている。（特許文献１参照）。
【０００４】
また、上記の締め込み工具を用いずに直接ナットに帯紐状の操作体を巻き付け、この操作体を引っ張ることでナットを螺進させるねじ体も公知となっている（特許文献２参照）。
【先行技術文献】
【特許文献】
【０００５】
【特許文献１】特開２００７−１０４７９１号公報
【特許文献２】特開２００５−２４０７０号公報
【発明の概要】
【発明が解決しようとする課題】
【０００６】
しかしながら、特許文献１に記載の締め込み工具は、線状体が巻かれた装着体をボルトに更に脱着する作業が必要となるため、ボルトへの脱着作業が煩雑である。
また、線状体が紐状に形成されているため、間接活線工具では把持しにくく、高所での間接活線作業においては、この締め込み工具のように小さいものを離れた位置から間接活線工具を操作してボルトやナットに嵌める作業は難しく落下事故のおそれもある。さらに、保存時に線状体がばらけるおそれがあり、ボルトやナットが新品であれば回転速度も速くなるため、線状体が空回りして絡まるおそれもある。
さらにまた、ボルト等にこの工具を取り付ける場合には、ボルトが転がりやすいため紛失するおそれがある。
【０００７】
これに対して、特許文献２のねじ体においては、上述した不都合を軽減できるが、所望の位置までナットが螺進したときに操作体（テープ）が余った場合は、テープ嵩により工具による締め込みができず、テープを一旦外して再度締め込みを行わなければならない不都合がある。
また、障害物等の影響によりナットの中心軸に対して垂直方向にテープを引くことができない場合には、ナットの中心軸に対して斜め方向から（ナットに対して軸方向の前後にずれた位置から）テープを引くことになるが、このような斜め方向からでは、スムーズにテープを引くことができず必要以上に力が掛かりテープが破断するおそれがある。
【０００８】
本発明は、かかる事情に鑑みてなされたものであり、容易にナットの締め込み作業ができ、また、操作体が余った場合でも工具による締め込みが可能なナット及びこれに用いられる操作体の巻設方法を提供することを主たる課題としている。
【課題を解決するための手段】
【０００９】
上記課題を達成するために、本発明に係るナットは、ボルトに螺合するナット本体と、前記ナット本体の外周面に巻設される操作体とを有するナットであって、前記ナット本体は、前記操作体が巻設される操作体巻設代と、この操作体巻設代に続いて軸方向に形成され、前記操作体を前記操作体巻設代に巻設した状態で締め付け工具を嵌合可能な工具装着代とを備え、前記操作体は、帯紐状に形成され、且つ、粘着性を有し、前記操作体巻設代は、軸方向の一端から他端に向かって拡径するように形成されたテーパー状に形成され、前記操作体は、前記操作体巻設代の他端から縮径方向に巻かれることを特徴としている。
【００１０】
ナット本体は、操作体が巻設される操作体巻設代と、この操作体巻設代に続いて軸方向に形成され、操作体を操作体巻設代に巻設した状態で締め付け工具を嵌合可能な工具装着代とを備えることで、所望の位置までナットが螺進して操作体が余った場合でも工具による締め付けができ、締め込み作業を容易にすることが可能となる。また、操作体は帯紐状に形成され、且つ、粘着性を有することで、間接活線工具で操作体を掴むことが容易になるため高所の作業において落下事故を防ぐことが可能となり、操作体を巻き付ければ、操作体が層状に巻設されて層状粘着することで保存時にバラけることがなく、また、操作時にナット本体が空回りすることを防ぐことも可能となる。さらに、操作体の嵩により、ナットを転がりにくくすることが可能となり、ナットの紛失を防ぐことが可能となる。
また、テーパー状に形成された操作体巻設代に操作体が巻かれることにより、ナットの中心軸に対して斜め方向からでもスムーズに操作体を引くことができる。
【００１１】
前記操作体は巻始端部と巻終端部との間に形成される中間部の幅が、前記巻始端部及び前記巻終端部よりも狭く形成されていることが望ましい。
中間部の幅が、前記巻始端部及び巻終端部よりも狭く形成されていることにより、ナット全体の軽量化を図ることが可能となると共に、操作体にかかるコストの削減を図ることができる。また、操作体は、粘着性を有しているため、間接活線工具で把持する部分とナットに固定する部分を除いて層状になっている操作体は剥がれやすい方が好ましく、中間部の巾を狭くすることで、ナットの回転に制動をかける力を減らすことが可能となる。
【００１２】
また、操作体巻設代が軸方向の一端から他端に向かって拡径するテーパー状に形成される構成にあっては、操作体巻設代の外周面の軸方向の他端側に前記操作体の巻始端部を固定し、前記ナットの軸方向に対して鋭角の角度をもって螺旋状に巻設することが望ましく、また、前記鋭角の角度は４５°であることが望ましい。
ナットの軸方向に対して鋭角の角度をもって螺旋状に巻設することで、操作体をナットの中心軸と垂直をなす方向に対して斜めとなる方向から引いた場合でも、操作体を剥がれやすくすることができ、ナット本体をスムーズに回転させることが可能となる。
【発明の効果】
【００１３】
以上述べたように、操作体がナット本体に巻設されるナットにおいて、ナット本体を、操作体が巻設される操作体巻設代と、この操作体巻設代に続いて軸方向に形成され、操作体を操作体巻設代に巻設した状態で締め付け工具を嵌合可能な工具装着代とを有して構成したので、所望の位置までナットが螺進して操作体が余った場合でも工具による締め付けが可能となり、締め込み作業を容易にすることが可能となる。また、操作体は帯紐状に形成され、且つ、粘着性を有することで、間接活線工具で操作体を掴むことが容易になるため、高所での作業においてナットの落下事故を防ぐことが可能となり、操作体が層状粘着することで保存時にバラけることもなく、ナット本体が空回りすることを防ぐことが可能となる。さらに、操作体の嵩により、ナットを転がりにくくすることが可能となり、ナットの紛失を防ぐことも可能となる。
また、テーパー状に形成された操作体巻設代に操作体が巻かれることにより、ナットの中心軸に対して斜め方向から操作体を引いた場合でも、ナット本体をスムーズに回転させることが可能となる。
さらに、中間部の幅が、前記巻始端部及び巻終端部よりも狭く形成されていることにより、ナット全体の軽量化を図ることが可能となると共に、操作体にかかるコストの削減を図ることができる。また、操作体は、粘着性を有しているが、中間部が巾狭に形成されているので、層状になっている操作体は剥がれやすくなり、ナットの回転に対する制動を低減することが可能となる。
さらにまた、ナットの軸方向に対して鋭角の角度をもって螺旋状に巻設することで、操作体をさまざまな角度からでも剥がれやすくすることができ、ナットの中心軸に対して斜め方向から操作体を引いてもスムーズにナット本体を回転させることが可能となる。
【図面の簡単な説明】
【００１４】
【図１】図１（ａ）は、実施例１のナットの概略構成図を示し、（ｂ）は、ナットをボルトに取り付ける際の斜視図である。
【図２】図２（ａ）は、ナット本体の概略構成図であり、（ｂ）は実施例２のナットの概略構成図であり、（ｃ）は、操作体巻設代に操作体が巻設される角度を示した正面図である。
【図３】図３（ａ）は、実施例３の操作体の概略構成図を示し、（ｂ）は、実施例３のナットの概略構成図である。
【発明を実施するための形態】
【００１５】
以下、本発明のナットについて添付図面を参照して説明する。
【実施例１】
【００１６】
図１（ａ）及び（ｂ）に示すように、ボルト２に螺合するナット１は、ボルト２に螺合するナット本体４と、このナット本体４の外周面に巻設される操作体（テープ）３とを有して構成されている。
【００１７】
ナット本体４は、その中央に挿通孔６が締め付け方向（軸方向）の全体に亘って形成され、その内周面に雌ネジ７が形成されている。このナット本体４は、操作体３が巻設される操作体巻設代４ａと、この操作体巻設代４ａに続いて軸方向に形成され、テープ３を操作体巻設代４ａに巻設した状態でラチェットレンチ等の締め付け工具を嵌合可能な工具装着代４ｂとを備えている。
この例では、操作体巻設代４ａとこれに続く工具装着代４ｂとは、同じ断面形状で連続的に形成されている。なお、雌ネジ７の長さは、摺接部位が長いほど回転に対する抵抗が増すため、例えば、操作体巻設代４ａの部分にのみ形成するようにしてもよい。
【００１８】
操作体巻設代４ａは、一端から他端にかけてテープ３が巻かれている。また、工具装着代４ｂの締め付け方向（軸方向）の幅Ｂは、テープ３が巻かれた状態で締め付け工具が装着できる巾に形成され、この例では、操作体巻設代４ａの軸方向寸法Ｔと同程度の寸法に形成されている。
このため、この例では、ナット本体４の軸方向の略中央を境にして、一方側に操作体巻設代４ａが、他方側に工具装着代４ｂが形成されるので、ナット本体４を軸方向で反転させても、ボルト２の頭部に近い側を操作体巻設代４ａとし、ボルト２の頭部から遠い側を工具装着代４ｂとすることが可能となる。
【００１９】
テープ３は、ビニール製又は布製のもので帯紐状に形成され、操作体巻設代４ａに固定される巻始端部１０と、間接活線工具９で把持可能な巻終端部１１と、巻始端部１０と巻終端部１１との中間部分の中間部１２と、から構成されている。また、巻始端部１０から巻終端部１１に亘って粘着性を有し、ボルト２の締めしろの長さに合わせて所望の長さに調節されて操作体巻設代４ａに巻かれる。
【００２０】
以上の構成において、ナット１をボルト２に締め付ける場合には、間接活線工具９の先端に図示しないラチェットレンチを接続して、ナット１の工具装着代４ｂを把持してボルト２に取り付ける。続いて、間接活線工具９でテープ３の巻終端部１１をナット１の締め付け回転方向に引っ張り、ナット１に回転力を与え巻始端部１０に近づいたところでテープ３を引っ張る速度を速くし、ナット１の回転速度を可能な限り高めた状態でテープを引っ張り取る。これによりナット１をボルト２に仮締めをすることができ、最後に、ラチェットレンチを接続した間接活線工具９を工具装着代４ｂに取り付けて規定のトルクまで締め付ける。
テープの長さによっては、ナット１が所望の位置まで螺進したときに余ることもあるが、そのような場合でも、テープの貼着状態を解除することなく、間接活線工具９を工具装着代４ｂに取り付けて規定のトルクまで締め付けることが可能となる。
【００２１】
なお、本実施例においては、間接活線工具９でテープ３の巻終端部１１を引っ張ることでナット１を回転させたが、これに限定されるものではなく、例えば、手で引っ張るようにして回転を与えても良い。
【００２２】
以上のように、ナット本体４は、テープ３が巻設される操作体巻設代４ａと、締め付け工具を嵌合可能な工具装着代４ｂとを備えることで、所望の位置までナット１が螺進してテープ３が余った場合でも工具による締め付けができ、締め込み作業を容易にすることが可能となる。また、テープ３は帯紐状に形成され、且つ、粘着性を有することで、間接活線工具９で巻終端部１１を掴むことが容易になるため高所の作業においてナット１の落下事故を防ぐことが可能となり、テープ３の内周面と外周面が層状粘着することで保存時にバラけることもなく、空回りすることを防ぐことが可能となる。さらに、テープ３の嵩により、ナット１を転がりにくくすることが可能となり、ナット１の紛失を防ぐことが可能となる。
【実施例２】
【００２３】
また、上記実施例の操作体巻設代４ａをテーパー状に形成して、ナット１の中心軸に対して斜め方向から（ナットに対して軸方向の前後にずれた位置から）スムーズにテープ３を引くことできるようにしても良い。
以下、上記実施例と同一箇所には同一符号を付して説明を省略する。
【００２４】
図２（ａ）ないし（ｃ）に示すように、操作体巻設代４ａは、軸方向の一端から他端に向かって拡径するようにテーパー状に形成され、工具装着代４ｂは、工具による締付けを可能に六角形に形成されている。
テープ３は、操作体巻設代４ａの外周面の軸方向の他端側に巻始端部１０が固定され、ナット１の締め付け方向（軸方向）に対して４５°で縮径方向に螺旋状に巻かれている。
【００２５】
以上のように、操作体巻設代４ａがテーパー状に形成され、テープ３がナット１の軸方向に対して鋭角（４５°）に巻かれていることで、ナット１の中心軸に対して斜め方向からでもスムーズにテープ３を引くことができ、破断を防ぐことが可能となる。
【実施例３】
【００２６】
上述の実施例においては、テープ３の短手方向の幅は、一定に形成されたものであったが、中間部１２の幅が巻始端部１０及び巻終端部１１よりも狭くしたものであったものでもよい。
【００２７】
図３（ａ）及び（ｂ）に示すように、テープ３の中間部１２の幅が巻始端部１０及び巻終端部１１よりも狭く形成され、ナット１の操作体巻設代４ａに巻かれている。
なお、中間部１２の幅が狭くなりすぎるとテープ３が破断のおそれがあるため、少なくとも、巻始端部１０の半分程度の幅を有することが望ましい。
【００２８】
このように、中間部１２の幅を狭くすることで、テープ３の軽量化を図ることでナット１全体の軽量化ができ、コストの削減を図ることが可能となる。また、テープ３は、粘着性を有しているため、間接活線工具９で把持する巻終端部１１とナット１の操作体巻設代４ａに固定する巻始端部１０を除いて層状になっているテープ３（中間部１２）が剥がれやすい方が好ましく、このような形状とすすることで、ナット１の回転に不必要な制動を減らすことができる。
【符号の説明】
【００２９】
１  ナット
２  ボルト
３  操作体（テープ）
４  外周面
４ａ  操作体巻設部
４ｂ  工具装着代
１０  巻始端部
１１  巻終端部
１２  中間部
【図１】
0005349555.tif 000002
【図２】
0005349555.tif 000003
【図３】
0005349555.tif 000004